(57)【要約】      （修正有）【課題】連結部への浸水による薬筒の誤発射（薬筒発煙）を防止し、安全に用いることのできる射撃シミュレーション装置のための誤発射防止装置を提供する。【解決手段】第１の円筒構造体と第２の円筒構造体の一方の先端には凹陥部を有し、他方の先端には凹陥部の内壁に内接する凸部を有して、凸部が凹陥部に挿入かん合されて相互結合されるように構成され、送信部の円筒構造体の凸部の外周に、発煙部の円筒構造体の凹陥部に対して作用するＯリングを備え、送信部１と発煙部２とが相互連結された状態で、電源部から薬筒への電源ラインはトリガスイッチを経由して接続され、警告表示灯１２は、薬筒スイッチ２７のオン制御に従って、電源部とは別の電源により点灯させるように構成されている。【選択図】図１
2004232948.tif 000002
【特許請求の範囲】
【請求項１】
第１の円筒構造体と、該第１の円筒構造体に内蔵されたトリガスイッチ、警告表示灯、電源部及び第１のコネクタとで構成される送信部と、
第２の円筒構造体と、該第２の円筒構造体に内蔵された発射発煙現示する薬筒、該薬筒へ電圧印加・制御する薬筒スイッチ及び第２のコネクタとで構成される発煙部とを備え、
前記送信部と前記発煙部とが前記第１のコネクタと前記第２のコネクタとにより相互連結されて、前記警告表示灯が点灯して警告表示されるごとに、前記電源部からの所定電圧が前記トリガスイッチに供給されて、該スイッチのオン制御により発射制御を行い得るトリガ待ちの状態となるように構成された射撃シミュレーション装置であって、
前記第１の円筒構造体と前記第２の円筒構造体の一方の先端には凹陥部を有し、他方の先端には該凹陥部の内壁に内接する凸部を有して、該凸部が前記凹陥部に挿入かん合されて相互結合されるように構成され、
前記送信部の前記円筒構造体の前記凸部の外周に、前記発煙部の前記円筒構造体の前記凹陥部に対して作用するＯリングを備え、
前記送信部と前記発煙部とが相互連結された状態で、前記電源部から前記薬筒への電源ラインは前記トリガスイッチを経由して接続され、
前記警告表示灯は、前記薬筒スイッチのオン制御に従って、前記電源部とは別の電源により点灯させるようにし、構成されたことを特徴とする誤発射防止回路と機構。
【発明の詳細な説明】
【０００１】
【発明の属する技術分野】
本発明は、射撃シミュレーション装置の薬筒の挿てんと発射発煙するための  点火装置の誤発射防止回路と機構に関する。
【０００２】
【従来の技術】
発煙部と操作部とからなる火工品を点検する装置の安全機構において、発煙部の点火回路にロータリスイッチを設け、かつ、ロータリスイッチと連動して発煙筒の挿てん部内に出入りする安全ピンを設け、ロータリスイッチがオンの場合には安全ピンが挿てん部内に突き出し、発煙筒が挿てん部内の点火接点と接触することを防止したことにより、発煙筒の誤発火防止としているものである（例えば、特許文献１参照。）。
【０００３】
【特許文献１】
特開平８−２９６９９８号公報（第２頁、１欄）
【０００４】
図３〜図５は、従来使われている射撃シミュレーション装置の薬筒による発射発煙現示に関する説明図であり、先ず、図３は、警告表示及び射撃時のトリガの手段を有する送信部１と、これに連結されて発射発煙現示の手段を有する発煙部２とで構成された射撃シミュレーション装置を示す概念図である。
図４は、従来、用いていた射撃シミュレーション装置の電気回路図である。送信部１は、トリガスイッチを有した制御部１１と、発射発煙現示のトリガ準備完了の警告表示する警告表示灯１２と、所定のＤＣ電圧を出力する電源部１３と、発煙部２との電気回路接続用のコネクタ１４とから構成される。
発煙部２は、発射発煙現示する薬筒２１と、薬筒２１へ電圧印加準備と警告表示灯への電源のオン／オフ制御する薬筒スイッチ２２と、送信部１との電気回路接続用のコネクタ２３とから構成される。
射撃トリガに先立ち、発煙部２に薬筒を挿てんし、次に薬筒スイッチ２２をオンして、これにより所定のＤＣ電圧（＋７．２Ｖ）が電源部１３から警告表示灯１２へ与えられ、警告表示灯１２が点灯し警告表示状態となる。
更に、制御部１１に有するトリガスイッチをオンすると、電源部１３からは所定のＤＣ電圧（＋７．２Ｖ）がコネクタ１４、２３→薬筒スイッチ２２→制御部１１に有するトリガスイッチ→コネクタ１４、２３を経由して薬筒２１へ与えられる。以上を経過して発煙部２からは発射発煙現示を発することとなる。
図５は、従来、用いていた射撃シミュレーション装置の送信部１と発煙部２との連結部の機構図である。図５（Ａ）は連結部の概観を、図５（Ｂ）は連結部のＡ−Ａ断面図を、図５（Ｃ）は連結部のＡ−Ａ断面図で送信部と発煙部が切り離された状態を示し、第１の円筒構造体（部分）には、コネクタ１４を有し、第２の円筒構造体（部分）には、コネクタ２３、Ｏリング２４、ガイドピン２５を有し、両円筒構造体は、突合せ面により連結部で連結される。
【０００５】
【発明が解決しようとする課題】
従来、発煙部２の連結部の連結面には、Ｏリングが備えられ、連結部の防水対策として送信部１と発煙部２の突合せ連結時の押し圧力でＯリングを間にして押さえつける機構としている。
雨天環境下での激しい取り扱いがなされる本装置は、円筒構造体の連結機構部の磨耗劣化などにより、連結部に緩みが生じ、送信部１と発煙部２の連結部の合わせ面にずれが生じて、Ｏリングの防水範囲内の防水低下を招き、コネクタ１４、２３まで雨水浸水する問題があった。
更に、コネクタ１４、２３の回路接続用ピンには電源部１３の＋７．２Ｖ回路接続用ピンと薬筒２１の＋回路接続用ピンが配置されている。これら２つの回路接続用ピン間が浸水された水によりショート状態となることがある。これにより、制御部１１のトリガスイッチオフであり、薬筒スイッチ２２オフであっても、薬筒２１には、＋７．２のＤＣ電圧が印加され、薬筒２１が誤発射（薬筒発煙）に至る電流が流されることとなる問題があった。
【０００６】
本発明の目的は、上記の問題を解決して、連結部への浸水による薬筒の誤発射（薬筒発煙）を防止し、安全に用いることのできる射撃シミュレーション装置のための誤発射防止回路と機構を提供することにある。
【０００７】
【発明を解決するための手段】
上記課題を解決するために、本発明の誤発射防止回路と機構は、第１の円筒構造体と、該第１の円筒構造体に内蔵されたトリガスイッチ、警告表示灯、電源部及び第１のコネクタとで構成される送信部と、
第２の円筒構造体と、該第２の円筒構造体に内蔵された発射発煙現示する薬筒、該薬筒へ電圧印加・制御する薬筒スイッチ及び第２のコネクタとで構成される発煙部とを備え、
前記送信部と前記発煙部とが前記第１のコネクタと前記第２のコネクタとにより相互連結されて、前記警告表示灯が点灯して警告表示されるごとに、前記電源部からの所定電圧が前記トリガスイッチに供給されて、該スイッチのオン制御により発射制御を行い得るトリガ待ちの状態となるように構成された射撃シミュレーション装置であって、
前記第１の円筒構造体と前記第２の円筒構造体の一方の先端には凹陥部を有し、他方の先端には該凹陥部の内壁に内接する凸部を有して、該凸部が前記凹陥部に挿入かん合されて相互結合されるように構成され、
前記送信部の前記円筒構造体の前記凸部の外周に、前記発煙部の前記円筒構造体の前記凹陥部に対して作用するＯリングを備え、
前記送信部と前記発煙部とが相互連結された状態で、前記電源部から前記薬筒への電源ラインは前記トリガスイッチを経由して接続され、
前記警告表示灯は、前記薬筒スイッチのオン制御に従って、前記電源部とは別の電源により点灯させるようにし、構成されたものである。
【０００８】
【発明の実施の形態】
図１〜図２は、本発明の実施例として、射撃シミュレーション装置の薬筒による発射発煙現示に関する説明図である。送信部１と発煙部２とが第１のコネクタ１４と第２のコネクタ２３とにより相互連結されて、警告表示灯が点灯して警告表示されるごとに、電源部１３からの所定電圧が制御部１１に有するトリガスイッチに供給されて、このスイッチのオン制御により発射制御を行い得るトリガ待ちの状態となるように構成された射撃シミュレーション装置であって、
先ず、図１は電気回路図であり、送信部１は、射撃のトリガスイッチを有した制御部１１と、発射発煙現示のトリガ準備完了の警告表示する警告表示灯１２と、所定のＤＣ電圧を出力する電源部１３と、送信部１と連結される発煙部２との電気回路接続用の第１のコネクタ１４とが第１の円筒構造体に内蔵された構成である。
発煙部２は、発射発煙現示する薬筒２１と、薬筒２１への電圧印加準備のオン／オフ制御と警告表示灯への地気情報オン／オフ制御とを行う２回路構成の薬筒スイッチ２７と、連結された送信部１との電気回路接続用の第２のコネクタ２３とが第２の円筒構造体に内蔵された構成である。
【０００９】
射撃トリガに先立ち、発煙部２に薬筒を挿てんし、次に薬筒スイッチ２７をオンして、これにより薬筒スイッチ２７の地気情報の端子から、地気情報が警告表示灯１２のＬＥＤ表示回路へ与えられ、警告表示灯１２が点灯し警告表示状態となる。ＬＥＤは警告表示灯の回路に供給された別の電源＋５Ｖによって駆動される。同時に薬筒スイッチ２７の他方の接点もオンして、薬筒２１の電源側端子が、
薬筒２１電源側端子⇒薬筒スイッチ２７端子⇒第１、第２のコネクタ２３、１４端子⇒制御部１１トリガスイッチ端子迄の回路が形成され、射撃トリガする準備段階が完了する。
次に射撃（シミュレーション）に入るため、制御部１１に有するトリガスイッチをオンすることによってトリガされ、が薬筒へ供給され、電流ルートが形成され、トリガスイッチ⇒第１、第２のコネクタ１４、２３⇒薬筒スイッチ２７を経由して薬筒２１へ電流が流される。以上によりトリガスイッチをオンによるトリガと同時に、発煙部２からは発射発煙現示を発することとなる。
以上の薬筒への電圧供給回路は、警告表示灯への電源ラインとは別にされた上、送信部と発煙部が連結された状態での薬筒への電源ラインは、電源部１３からの所定のＤＣ電圧（＋７．２Ｖ）は、第一にトリガスイッチを経由するので、即ち、従来のように発煙部を折り返すような電源ルートではないので、トリガするまでは、第１、第２のいずれのコネクタ端子間においても、所定のＤＣ電圧（＋７．２Ｖ）が現れていないので、送信部１と発煙部２の間の連結部の部分に、雨天環境下での激しい取り扱いが繰り返され、まれに連結部の合わせ面にずれが生じて第１、第２のコネクタ１４、２７まで雨水が浸水し、第１、第２のコネクタ１４、２３の回路接続用ピンどうしが浸水された水によりショート状態となることがあったとしても、トリガされない限り、薬筒２１には、＋７．２のＤＣ電圧が直接印加されるような電流回路を形成されることがなく、薬筒２１が暴発に至ることはない。
【００１０】
図２は、本発明の送信部１と発煙部２との連結部の機構図である。
第１の円筒構造体と第２の円筒構造体の一方の先端には凹陥部を有し、他方の先端には凹陥部の内壁に内接する凸部を有して、凸部が凹陥部に挿入かん合されて相互結合されるように構成され、
送信部の円筒構造体の凸部の外周に、発煙部の円筒構造体の凹陥部に対して作用するＯリングを備え、図２（Ａ）は連結部の概観を、図２（Ｂ）は連結部のＡ−Ａ断面図を、図２（Ｃ）は連結部のＡ−Ａ断面図で送信部と発煙部が切り離された状態を、それぞれ示している。
第１の円筒構造体（部分）の凸部には、第１のコネクタ１４、凸部外周には、Ｏリング１５を有した送信部１と、第２の円筒構造体（部分）の凹陥部分には、第２のコネクタ２３、ガイドピン２５、凹陥部２６を有した発煙部２とは、突合せにより連結部で連結される。
送信部１の第１の円筒構造体（部分）の凸部は、発煙部２の第２の円筒構造体（部分）の凹陥部分によって、第１の円筒構造体（部分）の凸部を覆うように結合され、更に、第１の円筒構造体（部分）の凸部先端外周の溝にＯリング１５がはめ込まれ、図２（Ｂ）のような結合状態となる。これにより、突合せ面のずれが発生し難い機構となる上、第１の円筒構造体（部分）の凸部外周面と第２の円筒構造体（部分）の凹陥部分内壁面に挟まれてＯリング１５が備えられているので、これによって雨天環境下での激しい取り扱いが繰り返されても極めて浸水し難い防水機構を有したものである。
【００１１】
【発明の効果】
以上のように、請求項１記載の発明によれば、連結部に雨水が浸水され難い機構、万一浸水して回路接続用ピンがショート状態となっても制御部１１のトリガスイッチと薬筒スイッチ２７の両方がオンする正規の操作をしない限り、薬筒２１へＤＣ電源が供給されない回路構成となり、誤発射防止回路と機構を提供され、薬筒の誤発射（薬筒発煙）を防止し、安全に用いることができる上、長期使用に耐えうる効果を得る。
【図面の簡単な説明】
【図１】本発明の電気回路の系統図である。
【図２】本発明の連結部の機構図である。
【図３】射撃シミュレーション装置を示す概念図である。
【図４】従来の電気回路の系統図である。
【図５】従来の連結部の機構図である。
【符号の説明】
１  送信部
２  発煙部
１１  制御部
１２  警告表示灯
１３  電源部
１４、２３    コネクタ
１５、２４    Ｏリング
２１  薬筒
２２、２７  薬筒スイッチ
２５  ガイドピン
２６  凹陥部
【図１】
2004232948.tif 000003
【図２】
2004232948.tif 000004
【図３】
2004232948.tif 000005
【図４】
2004232948.tif 000006
【図５】
2004232948.tif 000007
【手続補正書】
【提出日】平成15年2月5日(2003.2.5)
【手続補正２】
【補正対象書類名】明細書
【補正対象項目名】特許請求の範囲
【補正方法】変更
【補正の内容】
【特許請求の範囲】
【請求項１】
第１の円筒構造体と、該第１の円筒構造体に内蔵されたトリガスイッチ、警告表示灯、電源部及び第１のコネクタとで構成される送信部と、
第２の円筒構造体と、該第２の円筒構造体に内蔵された発射発煙現示する薬筒、該薬筒へ電圧印加・制御する薬筒スイッチ及び第２のコネクタとで構成される発煙部とを備え、
前記送信部と前記発煙部とが前記第１のコネクタと前記第２のコネクタとにより相互連結されて、前記警告表示灯が点灯して警告表示されるごとに、前記電源部からの所定電圧が前記トリガスイッチに供給されて、該スイッチのオン制御により発射制御を行い得るトリガ待ちの状態となるように構成された射撃シミュレーション装置であって、
前記第１の円筒構造体と前記第２の円筒構造体の一方の先端には凹陥部を有し、他方の先端には該凹陥部の内壁に内接する凸部を有して、該凸部が前記凹陥部に挿入かん合されて相互結合されるように構成され、
前記送信部の前記円筒構造体の前記凸部の外周に、前記発煙部の前記円筒構造体の前記凹陥部に対して作用するＯリングを備え、
前記送信部と前記発煙部とが相互連結された状態で、前記電源部から前記薬筒への電源ラインは前記トリガスイッチを経由して接続され、
前記警告表示灯は、前記薬筒スイッチのオン制御に従って、前記電源部とは別の電源により点灯させるようにし、構成されたことを特徴とする誤発射防止装置。
【手続補正３】
【補正対象書類名】明細書
【補正対象項目名】０００１
【補正方法】変更
【補正の内容】
【０００１】
【発明の属する技術分野】
本発明は、射撃シミュレーション装置の薬筒の挿てんと発射発煙するための点火装置の誤発射防止装置に関する。


【手続補正４】
【補正対象書類名】明細書
【補正対象項目名】０００６
【補正方法】変更
【補正の内容】
【０００６】
本発明の目的は、上記の問題を解決して、連結部への浸水による薬筒の誤発射（薬筒発煙）を防止し、安全に用いることのできる射撃シミュレーション装置のための誤発射防止装置を提供することにある。


【手続補正５】
【補正対象書類名】明細書
【補正対象項目名】０００７
【補正方法】変更
【補正の内容】
【０００７】
【発明を解決するための手段】
上記課題を解決するために、本発明の誤発射防止装置は、第１の円筒構造体と、該第１の円筒構造体に内蔵されたトリガスイッチ、警告表示灯、電源部及び第１のコネクタとで構成される送信部と、
第２の円筒構造体と、該第２の円筒構造体に内蔵された発射発煙現示する薬筒、該薬筒へ電圧印加・制御する薬筒スイッチ及び第２のコネクタとで構成される発煙部とを備え、
前記送信部と前記発煙部とが前記第１のコネクタと前記第２のコネクタとにより相互連結されて、前記警告表示灯が点灯して警告表示されるごとに、前記電源部からの所定電圧が前記トリガスイッチに供給されて、該スイッチのオン制御により発射制御を行い得るトリガ待ちの状態となるように構成された射撃シミュレーション装置であって、
前記第１の円筒構造体と前記第２の円筒構造体の一方の先端には凹陥部を有し、他方の先端には該凹陥部の内壁に内接する凸部を有して、該凸部が前記凹陥部に挿入かん合されて相互結合されるように構成され、
前記送信部の前記円筒構造体の前記凸部の外周に、前記発煙部の前記円筒構造体の前記凹陥部に対して作用するＯリングを備え、
前記送信部と前記発煙部とが相互連結された状態で、前記電源部から前記薬筒への電源ラインは前記トリガスイッチを経由して接続され、
前記警告表示灯は、前記薬筒スイッチのオン制御に従って、前記電源部とは別の電源により点灯させるように構成されている。


【手続補正６】
【補正対象書類名】明細書
【補正対象項目名】００１１
【補正方法】変更
【補正の内容】
【００１１】
【発明の効果】
以上のように、請求項１記載の発明によれば、連結部に雨水が浸水され難い機構、万一浸水して回路接続用ピンがショート状態となっても制御部１１のトリガスイッチと薬筒スイッチ２７の両方がオンする正規の操作をしない限り、薬筒２１へＤＣ電源が供給されない回路構成を有する誤発射防止装置を提供することができ、薬筒の誤発射（薬筒発煙）を防止し、安全に用いることができる上、長期使用に耐えうる効果を得る。